(57)【特許請求の範囲】
【請求項１】
四角形状のパネル本体（１）の裏面（1a）に少なくとも２本の形鋼（２）を縦方向に固着し、且つ、配置されたアングル（６）に掛着させるためのＶ溝（3a）と、該Ｖ溝（3a）を掛着させた際に前記アングル（６）の内面に接触する底部（3b）とを有する鉄板の掛金具（３）を用意すると共にその掛金具（３）を前記各形鋼（２）に少なくとも２つ取付けた残存型枠（Ａ）を用意し、施工現場の法面（５）に沿って少なくとも横方向に平行な前記アングル（６）を、前記法面（５）から離して固着させ、次いで前記アングル（６）に前記残存型枠（Ａ）の前記掛金具（３）を掛着させて順次前記残存型枠（Ａ）が配列されると共に前記掛金具（３）の底部（3b）が前記アングル（６）の内面に接触しながら配列されたことを特徴とする残存型枠の枠組方法。
【請求項２】
前記残存型枠（Ａ）が、前記パネル本体（１）を２枚並べ、且つ前記形鋼（２）で各パネル本体（１）を固着させて一体化したものであり、それが配列された請求項１記載の残存型枠の枠組方法。
【請求項３】
前記アングル（６）がＬ形鋼であり、該アングル（６）を定間隔で支持するための支えアングル（７）が配置されて格子状に骨組された請求項１記載の残存型枠の枠組方法。
【発明の詳細な説明】
【技術分野】
【０００１】
本発明は道路や河川などの傾斜面にコンクリート製の擁壁等を施工する場合、残存型枠を使用して枠組する際に、残存型枠の内側に人が入れない狭い施工現場で行われる残存型枠の枠組方法に関する。
【背景技術】
【０００２】
従来、残存型枠の内側に人が入れない狭い道路や河川などの傾斜面の施工現場で残存型枠を使用して枠組する場合は、法面から浮かせてアングルなどを格子状に骨組し、その後、残存型枠の四隅又はその他に数箇所をボルトやナット等によって締結作業が順次行われていた。
【０００３】
しかしながら、前記残存型枠の四隅又はその他に数箇所をボルトやナット等によって締結する場合、予め格子状に骨組された各アングルなどに多数の取付穴を穿設しなければならず、手間が掛ると共に穴ズレが発生し易いのが現状である。又、前記残存型枠をアングルにボルトやナット等を用いて締結する作業は、残存型枠が大きくなると手を差込んでも届かぬ箇所が生じて、作業性が悪く、且つ多数の締結部品の手配やその管理に手間が掛る等の問題点があった。
【０００４】
尚、本発明者によって特願平９−２５７４９４号「残存型枠の型枠組立方法」が提案されているが、これは、掛着部材を有した段積用連結具と、支持枠部材を斜面から所定距離離して骨組し、四角形状の残存型枠の裏面から突出する溝形材を、前記掛着部材に掛けると共に締付ネジで溝形材を固定させながら残存型枠が順次取付けられる方法である。しかしながら、これは残存型枠の内側に人が入り、前記溝形材を掛着部材に掛けた後に、締付ネジを締込んで残存型枠が順次固定される方法であるため、残存型枠の裏面の溝形材を掛着部材に掛けたままでは相当なガタがあり、各掛着部材の締付ネジを残存型枠の外側から締込むことは不可能であると共にそのままコンクリートを打設すると、そのコンクリートの押圧力によって残存型枠の表面からコンクリートが押出されてしまい、施工することが出来ないものであった。
【特許文献１】特願平９−２５７４９４号公報
【発明の開示】
【発明が解決しようとする課題】
【０００５】
本発明は残存型枠の内側に人が入れない狭い道路や河川などの傾斜面の施工現場で残存型枠を使用して枠組する場合、ボルトやナット等による締結作業を省略し、単に掛けるだけの簡単な作業で確実に実施出来る残存型枠の枠組方法を提供することを目的とする。
【課題を解決するための手段】
【０００６】
本発明は上記問題点を解消するために成されたものであり、つまり、四角形状のパネル本体の裏面に少なくとも２本の形鋼を縦方向に固着し、且つ、配置されたアングルに掛着させるためのＶ溝と、該Ｖ溝を掛着させた際にアングルの内面に接触する底部とを有する鉄板の掛金具を用意すると共にその掛金具を各形鋼に少なくとも２つ取付けた残存型枠を用意し、施工現場の法面に沿って少なくとも横方向に平行なアングルを、法面から離して固着させ、次いでアングルに残存型枠の掛金具を掛着させて順次残存型枠が配列されると共に掛金具の底部がアングルの内面に接触しながら配列される残存型枠の枠組方法とする。また前記残存型枠として、パネル本体を２枚並べ、且つ形鋼で各パネル本体を固着させて一体化したものを用いると良く、前記アングルとしてＬ形鋼を用い、該アングルが定間隔で支持されるための支えアングルを配置して格子状に骨組させたものにするのが好ましい。尚、本発明で言う「法面」には、垂直面も含むものとする。
【発明の効果】
【０００７】
請求項１のように四角形状のパネル本体（１）の裏面（1a）に少なくとも２本の形鋼（２）を縦方向に固着し、該各形鋼（２）に少なくとも２つの掛金具（３）を取付けた残存型枠（Ａ）を用意し、施工現場の法面（５）に沿って少なくとも横方向に平行なアングル（６）を、法面（５）から離して固着させ、次いでアングル（６）に残存型枠（Ａ）の掛金具（３）を掛着させて順次前記残存型枠（Ａ）が配列されることにより、ボルトやナット等を用いて締結する必要がなく、単に掛着するだけの簡単な作業で確実に残存型枠（Ａ）の枠組方法が実施出来るものとなる。従って、残存型枠（Ａ）の内側に人が入れない狭い道路や河川などの傾斜面に擁壁等を施工する場合であっても、残存型枠（Ａ）の枠組作業が迅速で且つ簡単で確実に施工出来るものとなるのである。又、残存型枠（Ａ）の枠組時にボルトやナット等を用いずに固定できるため、従来の如き穴加工が不要で、穴ズレの発生もなくなり、それに対する手間やその締結作業が省略でき、且つ多数の締結部品の手配やその管理が不要になる。
また前記掛金具（３）として、アングル（６）に掛着させるためのＶ溝（3a）と、該Ｖ溝（3a）を掛着させた際にアングル（６）の内面に接触する底部（3b）とを有する鉄板を用い、残存型枠（Ａ）が順次配列される際、掛金具（３）の底部（3b）がアングル（６）の内面に接触しながら配列することにより、残存型枠（Ａ）の摺動が容易となるため、残存型枠（Ａ）同士を確実に当接させ密着して配列できるものとなる。
【０００８】
請求項２のように残存型枠（Ａ）が、パネル本体（１）を２枚並べ、且つ形鋼（２）で各パネル本体（１）を固着させて一体化したものであり、それが配列されることにより、パネル本体（１）が２枚ずつ並べられ、残存型枠（Ａ）の枠組作業がより速く終了可能なものとなる。
【０００９】
請求項３に示すようにアングル（６）がＬ形鋼であり、該アングル（６）を定間隔で支持するための支えアングル（７）が配置されて格子状に骨組されることにより、擁壁の強度が均一化されたものとなる。
【発明を実施するための最良の形態】
【００１０】
図１〜図３は本発明の実施形態を示す図であり、これについて説明する。（１）はコンクリート製で四角形状のパネル本体であり、該パネル本体（１）には多数の貫通穴（1b）が穿設されているが、必ずしも前記貫通穴（1b）は必要ではない。また前記パネル本体（１）としては、例えば厚さ３０〜４０mm、幅９００〜１２００mm、高さ６００mm程度のものを使用するのが良い。このパネル本体（１）はコンクリート製の構造物を施工する際に、そのものが型枠として枠組され、コンクリート打設後にコンクリートの表面に残存するタイプのものであり、その一例としては本発明者が提案した特願平９−２３７６６７号或いは特願平１０−７１４０８号と同形のものを用いると良いが、この一例はあくまで代表的なものを例示したものであり、この一例に限定されるものではない。
【００１１】
（２）はパネル本体（１）の裏面（1a）の両側で且つ縦方向に固着した２本の形鋼であり、該形鋼（２）の本数はパネル本体（１）の大きさにより２本以上としても良い。また前記形鋼（２）としては、断面形状がコの字状のものを用いるのが好ましいが、これに限定されるものではない。又、前記パネル本体（１）を縦方向に２枚並べ、且つパネル本体（１）の貫通穴（1b）を利用して、後述する形鋼取付用締結部材（41）で前記パネル本体（１）の裏面（1a）に形鋼（２）を固着させているが、１枚のパネル本体（１）の裏面（1a）の縦方向に固着したものとしても良く、且つ形鋼（２）をパネル本体（１）に埋設させて固着するものとしても良い。
【００１２】
（３）は形鋼（２）の上下端部に取付けた鉄板で２つの掛金具であり、該各掛金具（３）には、後述するアングル（６）に掛着させるためのＶ溝（3a）と、該Ｖ溝（3a）を掛着させた際に前記アングル（６）の内面に必ず接触する底部（3b）とがある。この掛金具（３）の下部は、後述する掛金具取付用締結具（42）によって形鋼（２）の側面に図３に示すように固着させているが、溶接で固着したものとしても良い。尚、前記掛金具（３）の取付け個数は、パネル本体（１）の大きさに応じ、形鋼（２）の中央部に、更に増やしたものとしても良い。又、この掛金具（３）の取付け箇所は、後述するアングル（６）に掛着出来る間隔で固定されている。更に前記掛金具（３）の底部（3b）はアングル（６）の内面をスムーズに摺動するように曲面に形成するのが好ましい（図３参照）。
【００１３】
（４）はボルトとナットから成る締結部材であり、該締結部材（４）には、形鋼（２）をパネル本体（１）に固着させるための形鋼取付用締結具（41）と、掛金具（３）を形鋼（２）に固着させるための掛金具取付用締結具（42）とがある。（Ａ）はパネル本体（１）を縦方向に２枚並べ、２本の形鋼（２）で各パネル本体（１）を固着させて一体化した残存型枠であるが、パネル本体（１）の大きさや施工現場状況に応じて１枚もの、或いは２枚以上のものを用いた残存型枠（Ａ）としても良い。尚、前記残存型枠（Ａ）として、特願平９−２３７６６７号，特願平９−２３６８３号，特願平９−２３６８４号などをそのまま利用することも可能であり、この場合には、前記形鋼（２）を締結部材（４）で固着させる必要はなく、且つ、前記掛金具（３）は残存型枠（Ａ）の裏面（1a）の図示しない溝形材に溶接で固着させるものとしても良い。
【００１４】
（６）は施工現場の法面（５）に沿って横方向で且つ平行に配置させて固着した多数本のアングルであり、該アングル（６）としてはＬ形鋼を用いるのが好ましいが、これに限定されるものではない。また前記アングル（６）は、図４に示すように縦方向で且つ定間隔に配置された支えアングル（７）によって支持されていると共に、アングル（６）と支えアングル（７）によって格子状に骨組され、且つ、該骨組は法面（５）から離れて固着している。この骨組と法面（５）との隙間は、人が入れない程の狭い隙間が形成される。
【００１５】
次に本発明方法の工程について説明する。先ず始めにパネル本体（１）を縦方向に２枚並べ、２本の形鋼（２）を各パネル本体（１）の裏面（1a）の両側で且つ縦方向に配置させると共に形鋼（２）の図示しない穴をパネル本体（１）の貫通穴（1b）に合せておく。そして形鋼取付用締結具（41）で形鋼（２）をパネル本体（１）に固着させる。更に掛金具取付用締結具（42）で掛金具（３）を形鋼（２）に固着させることにより、図1に示すような残存型枠（Ａ）が完成されるのである。尚、この残存型枠（Ａ）は現場で組立てずに、パネル本体（１）を製造する工場或いは他の場所で予め組立て、それを搬入しても良い。
【００１６】
次いで、施工現場の法面（５）に沿って横方向には平行で且つ一定間隔にアングル（６）を、縦方向には支えアングル（７）を配置し且つ各交差箇所を締結させて、図4に示すような格子状に骨組する。この時、Ｌ字状のアングル（６）は外側へ突出し、骨組は法面（５）から離れて人が入れない程の狭い隙間が形成される。その後、前記残存型枠（Ａ）を骨組の近くへ運搬し、残存型枠（Ａ）を骨組に掛着する。この時、突出したＬ字状のアングル（６）に、２つの掛金具（３）のＶ溝（3a）を掛着させる。すると、各掛金具（３）の底部（3b）がアングル（６）の内面に接触するのである。
【００１７】
このようにして残存型枠（Ａ）の掛金具（３）をアングル（６）に掛着させて、残存型枠（Ａ）を順次配列して骨組の表面全体を残存型枠（Ａ）で被い尽くせば枠組作業が完了するのである。この場合、骨組と法面（５）との隙間に人が入らずとも、残存型枠（Ａ）を骨組の表面側から作業が行え、単に掛金具（３）をアングル（６）に掛着させるだけの簡単な作業で済むため、誰にでも簡単に作業が行えるのである。尚、残存型枠（Ａ）同士を順次配列する際は、接触面に隙間がないように当接させておくことが必要であり、当接させる場合は、掛金具（３）の底部（3b）がアングル（６）の内面に接触されているため、スムーズに残存型枠（Ａ）を移動させることが出来るのである。従って、枠組作業後、コンクリートを打設しても、残存型枠（Ａ）の重量及び残存型枠（Ａ）同士が当接された接触圧、更にはパネル本体（１）の裏面（1a）と法面（５）との隙間が狭いため、コンクリートの押圧力はあまり大きくならない等の理由によって、残存型枠（Ａ）の表面からコンクリートが押出されることがなく、施工することが出来るものとなるのである。
【産業上の利用可能性】
【００１８】
本発明は道路や河川などの傾斜面にコンクリート製の擁壁が、残存型枠（Ａ）を使用して枠組される際に、残存型枠（Ａ）の内側に人が入れない狭い現場での施工に適するが、残存型枠（Ａ）の裏面と法面（５）との隙間に辛うじて人が入れる程度の狭い施工現場であっても施工が可能な方法となる。
【図面の簡単な説明】
【００１９】
【図１】本発明の実施形態で使用する残存型枠の裏面側を示す説明図である。
【図２】図１のＸ−Ｘ断面図である。
【図３】本実施形態の残存型枠の要部側面及び掛金具が掛着される状態を示す説明図である。
【図４】本発明の枠組方法を示す説明図である。
【符号の説明】
【００２０】
Ａ  残存型枠
１  パネル本体
1a  裏面
２  形鋼
３  掛金具
3a  Ｖ溝
3b  底部
５  法面
６  アングル
７  支えアングル
【図１】
0004478120.tif 000002
【図２】
0004478120.tif 000003
【図３】
0004478120.tif 000004
【図４】
0004478120.tif 000005